(57)【要約】【課題】  本発明は、キーロック制御方法、電子装置及びコンピュータプログラムに関し、電子装置の操作キーのロックを操作パターンに応じて行いセキュリティを向上すると共に、操作キーの不要なロックを発生しにくくすることを目的とする。【解決手段】  複数の機能を有する電子装置の操作キーの操作パターンを登録し、登録された操作パターンで操作キーが操作されないと操作キーをロックし、操作パターンは、少なくとも操作キーが操作される時間帯と操作キーにより選択される少なくとも１つの機能との組み合わせからなるように構成する。【選択図】  図９
2006054581.tif 000002
【特許請求の範囲】
【請求項１】
複数の機能を有する電子装置の操作キーの操作パターンを登録するステップと、
該操作パターンで前記操作キーが操作されないと前記操作キーをロックするステップとを含み、
該操作パターンは、少なくとも前記操作キーが操作される時間帯と前記操作キーにより選択される少なくとも１つの機能との組み合わせからなることを特徴とする、キーロック制御方法。
【請求項２】
複数の機能を有する電子装置であって、
複数の操作キーと、
該操作キーからの入力に基づいて該操作キーの操作パターンが登録される格納手段と、
該操作パターンで該操作キーが操作されないと該操作キーをロックする制御手段とを備え、
該操作パターンは、少なくとも該操作キーが操作される時間帯と該操作キーにより選択される少なくとも１つの機能との組み合わせからなることを特徴とする、電子装置。
【請求項３】
前記機能は、電子メール、通話、スケジュール、インターネット関連動作、撮像、テレビ、ラジオ及びその他の動作からなるグループから選択された少なくとも１つである、請求項２記載の電子装置。
【請求項４】
前記操作パターンは、各機能について前記操作キーにより選択される機能の詳細を含むことを特徴とする、請求項２記載の電子装置。
【請求項５】
コンピュータに、複数の機能を有する装置の操作キーのロックを制御させるコンピュータプログラムであって、
該コンピュータに前記操作キーの操作パターンを登録させる手順と、
該コンピュータに、該操作パターンで前記操作キーが操作されないと前記操作キーをロックさせる手順とを含み、
該操作パターンは、少なくとも前記操作キーが操作される時間帯と前記操作キーにより選択される少なくとも１つの機能との組み合わせからなることを特徴とする、コンピュータプログラム。
【発明の詳細な説明】
【技術分野】
【０００１】
本発明は、キーロック制御方法、電子装置及びコンピュータプログラムに係り、特に電子装置の操作キーのロックを制御するキーロック制御方法、そのようなキーロック制御方法を採用する電子装置、及びコンピュータに操作キーのロック制御させるコンピュータプログラムに関する。
【０００２】
本明細書では、電子装置の操作キーとは、ユーザが電子装置に情報を入力する際に操作可能なスイッチ、ボタン、キー等を含む。又、操作キー自体の構成は特に限定されず、押ボタンや、所謂タッチパネルのキーであっても良い。
【背景技術】
【０００３】
コンピュータや携帯電話等の電子装置には、ユーザが電子装置に情報を入力する際に操作可能な操作キーが設けられている。例えば、携帯電話の場合、操作キーは、電話番号を入力したり、各種機能を選択したりする際に操作される。又、携帯電話には、通常は操作キーをロックする機能が設けられている。操作キーのロックは、操作キーの誤操作を防止したり、ユーザ以外による不正使用を防止してセキュリティを向上するため等に行われる。
【０００４】
操作キーのロック方法には、各種方法が提案されている。第１の方法では、操作キーをロックする機能が選択されると、操作キーのロックを解除する操作が選択されるまで操作キーの通常操作を行うことができない。第２の方法では、操作キーをロックする時間帯が設定可能であり、設定された時間帯以外の時間帯では、特に操作キーのロックを解除する操作をしなくても操作キーが操作可能である。第３の方法は折りたたみ式携帯電話に適用され、蓋を閉じて携帯電話を折りたたむと、一定時間後に操作キーが自動的にロックされる。
【０００５】
特許文献１は、上記第３の方法を提案するものである。又、特許文献２は、ユーザのみが知る操作を行うことで操作キーのロック及びロック解除を行う方法を提案するものである。
【特許文献１】特開２００１−２８５４４２公報
【特許文献２】特開２００２−６４６２０公報
【発明の開示】
【発明が解決しようとする課題】
【０００６】
しかし、上記第１の方法及び特許文献２で提案されている方法によると、操作キーがロックされているキーロック状態では、操作キーのロックを解除する操作を行わない限り、操作キーの通常操作を行うことができない。このため、操作キーをロックする機能を選択すると、電子装置を使用する度にキーロックを解除する操作が必要となり、電子装置を使用するために煩雑な操作が必要となるという問題があった。
【０００７】
上記第２の方法によると、操作キーがロックされている時間帯に電子装置を使用するためには、上記第１の方法の場合と同様にキーロックを解除する必要があった。又、ユーザによる電子装置の使い方が変る度に、操作キーをロックする時間帯を新たに設定する操作が必要となり、電子装置をユーザのニーズに合わせて使用するために煩雑な操作が必要となるという問題があった。
【０００８】
上記第３の方法によると、電子装置を折りたたむと一定時間後に操作キーが自動的にロックされるので、蓋を開けて電子装置を使用する度に、上記第１の方法の場合と同様にキーロックを解除する必要があった。又、電子装置を折りたたんでも、一定時間経過前であれば、ユーザ以外による不正使用を防止することができないという問題もあった。
【０００９】
そこで、本発明は、電子装置の操作キーのロックを操作パターンに応じて行いセキュリティを向上すると共に、操作キーの不要なロックを発生しにくくしたキーロック制御方法、電子装置及びコンピュータプログラムを提供することを目的とする。
【課題を解決するための手段】
【００１０】
上記の課題は、複数の機能を有する電子装置の操作キーの操作パターンを登録するステップと、該操作パターンで前記操作キーが操作されないと前記操作キーをロックするステップとを含み、該操作パターンは、少なくとも前記操作キーが操作される時間帯と前記操作キーにより選択される少なくとも１つの機能との組み合わせからなることを特徴とするキーロック制御方法によって達成できる。
【００１１】
上記の課題は、複数の機能を有する電子装置であって、複数の操作キーと、該操作キーからの入力に基づいて該操作キーの操作パターンが登録される格納手段と、該操作パターンで該操作キーが操作されないと該操作キーをロックする制御手段とを備え、該操作パターンは、少なくとも該操作キーが操作される時間帯と該操作キーにより選択される少なくとも１つの機能との組み合わせからなることを特徴とする電子装置によっても達成できる。
【００１２】
上記の課題は、コンピュータに、複数の機能を有する装置の操作キーのロックを制御させるコンピュータプログラムであって、該コンピュータに前記操作キーの操作パターンを登録させる手順と、該コンピュータに、該操作パターンで前記操作キーが操作されないと前記操作キーをロックさせる手順とを含み、該操作パターンは、少なくとも前記操作キーが操作される時間帯と前記操作キーにより選択される少なくとも１つの機能との組み合わせからなることを特徴とするコンピュータプログラムによっても達成できる。
【発明の効果】
【００１３】
本発明によれば、電子装置の操作キーのロックを操作パターンに応じて行いセキュリティを向上すると共に、操作キーの不要なロックを発生しにくくすることができる。
【発明を実施するための最良の形態】
【００１４】
ユーザが複数の機能を有する電子装置を使用する場合、所定の時間帯に所定の機能を選択することが多い。つまり、電子装置の操作キーは、ユーザ毎に規則正しい所定の操作パターンで操作されることが多い。操作パターンは、少なくとも操作キーが操作される時間帯と操作キーにより選択される少なくとも１つの機能との組み合わせからなる。
【００１５】
そこで、本発明では、ユーザの操作パターンを予め登録しておき、登録された操作パターン以外のパターンで操作キーが操作されると操作キーを自動的にロックすることで、セキュリティを向上すると共に、操作キーの不要なロックを発生しにくくする。
【００１６】
以下に、本発明になるキーロック制御方法、電子装置及びコンピュータプログラムの各実施例を、図面と共に説明する。
【実施例】
【００１７】
図１は、本発明になる電子装置の一実施例の要部の構成を示すブロック図である。本実施例では、説明の便宜上、本発明が携帯電話に適用されているが、電子装置は携帯電話に限定されるものではない。電子装置は、例えばコンピュータ、ＰＤＡ（Personal Digital Assistants）や通信装置等の複数の機能を有する各種装置を含み、デスクトップ等の設置型であっても、携帯型であっても良い。
【００１８】
電子装置の本実施例は、本発明になるキーロック制御方法の一実施例を採用し、本発明になるコンピュータプログラムの一実施例を用いる。
【００１９】
図１に示す携帯電話１は、ＣＰＵ１１、メモリ部１２、送受信部１３、複数の操作キーを有する操作部１４、表示部１５、カメラ部１６及びテレビ（ＴＶ）／ラジオ部１７がバス１８により接続された構成を有する。ＣＰＵ１１は、携帯電話１全体の動作の制御を司る。メモリ部１２は、ＣＰＵ１１が実行するコンピュータプログラムと、ＣＰＵ１１が行う演算の中間データや後述する操作キーの操作パターンを含む各種データを格納する半導体記憶装置からなる。送受信部１３は、アンテナ（図示せず）を介した送受信を行う周知の構成を有する。操作部１４は、ユーザが情報を携帯電話１に入力する際に操作される複数の操作キーを有する。操作キーには、例えば数字／文字入力キー、カーソル移動キー、決定キー等が含まれる。表示部１５は、後述する各種メニューや、操作キーから入力された情報等を表示する。尚、操作部１４及び表示部１５は、タッチパネルの場合のように一体的に設けられていても良い。カメラ部１６は、被写体を撮像可能な周知の構成を有する。ＴＶ／ラジオ部１７は、アンテナ（図示せず）を介してＴＶ及び／又はラジオ放送を受信可能な周知の構成を有する。
【００２０】
電子装置が本実施例のように無線通信を行うものではなく、有線通信を行う場合には、送受信部１３の代わりにネットワークに接続するインタフェースを含む送受信部を設ければ良い。
【００２１】
メモリ部１２に格納されているコンピュータプログラムには、コンピュータプログラムの本実施例、即ち、キーロック制御を行うキーロック制御プログラムが含まれる。キーロック制御プログラムを格納するコンピュータ読み取り可能な記憶媒体は、本実施例ではメモリ部１２を構成する半導体記憶装置であるが、記憶媒体の種類は特に限定されず、磁気記憶媒体、光記憶媒体や光磁気記憶媒体であっても良いことは言うまでもない。
【００２２】
図２は、本実施例における操作パターン登録処理を説明するフローチャートである。図２に示す操作パターン登録処理は、ＣＰＵ１１により行われる。図２では、説明の便宜上、各ステップで表示部１５に表示されるメニューや情報が示されている。
【００２３】
図２において、例えば操作部１４の所定のキーが操作されて機能選択が指示されると、ステップＳ１は機能選択メニューを表示部１５に表示される。操作部１４のカーソル移動キー及び決定キーにより機能選択メニュー上で設定機能が選択されると、ステップＳ２は設定メニューを表示部１５に表示する。操作部１４の対応する数字／文字キー、又は、カーソル移動キー及び決定キーにより設定メニュー上でセキュリティー機能が選択されると、ステップＳ３はセキュリティー設定メニューを表示部１５に表示する。例えば操作部１４の対応する数字／文字キー、又は、カーソル移動キー及び決定キーによりセキュリティー設定メニュー上でオートロック機能が選択されると、ステップＳ４はオートロック設定メニューを表示部１５に表示する。
【００２４】
例えば操作部１４のカーソル移動キー及び決定キーによりオートロック設定メニュー上で「はい」が選択されてオートロックの設定が選択されると、ステップＳ５はオートロック時間設定メニューを表示部１５に表示する。オートロック時間設定メニュー上では、例えば一日、午前、午後又は時間指定が選択可能である。例えばオートロック時間設定メニュー上で時間指定が選択されると、ステップＳ６はオートロック開始時間及びオートロック終了時間の入力を促す時間帯設定メニューを表示部１５に表示し、操作部１４のキー操作によりオートロック開始時間及びオートロック終了時間が入力されると、ステップＳ７は表示部１５に操作内容設定メニューを表示する。本実施例では、操作内容は、電子メール（メール）、電話／テレビ（ＴＶ）電話／スケジュール、ｉアプリ／ｉモード、カメラ／ＴＶ／ラジオ、その他１、及びその他２から選択可能である。ステップＳ８は、選択された操作内容に応じたメニューを表示部１５に表示する。具体的には、ステップＳ８は選択された操作内容に応じて、図３〜図８に示すメニューを表示部１５に表示する。図３〜図８は、操作パターン登録処理の一部を説明するフローチャートである。
【００２５】
操作部１４のキー操作により操作内容設定メニュー上で電子メールが選択されると、図３に示すステップＳ８１０は電子メール関連機能選択メニューを表示部１５に表示する。本実施例では、電子メール関連機能（又は、動作）は、送信、センター問合せ、メール閲覧、特定宛先送信、及び特定メール閲覧から選択可能である。操作部１４のキー操作により電子メール関連機能選択メニュー上で送信、センター問合せ又はメール閲覧が選択されると、処理は図２に示すステップＳ９へ進む。他方、操作部１４のキー操作により電信メール関連機能選択メニュー上で特定宛先送信又は特定メール閲覧が選択されると、ステップＳ８１１は送受信先設定メニューを表示部１５に表示する。送受信先設定メニューでは、アドレス検索及びフォルダ指定が選択可能である。操作部１４のキー操作により送受信先設定メニュー上でアドレス検索又はフォルダ指定が選択されると、処理は図２に示すステップＳ９へ進む。
【００２６】
図２において、ステップＳ９は表示部１５に回数設定メニューを表示する。回数設定メニュー上では、設定された操作内容の操作回数を設定可能である。操作部１４のキー操作により回数設定メニュー上で操作回数が設定されると、ステップＳ１０は表示部１５に追加確認メニューを表示する。追加確認メニュー上で操作内容の追加が必要な場合には、「はい」が選択され、処理はステップＳ５へ戻る。従って、オートロック開始時間及びオートロック終了時間、即ち、操作時間帯は、設定された各操作内容（機能）毎に独立に設定可能である。又、操作内容の操作回数も、設定された各操作内容毎に独立に設定可能である。他方、追加確認メニュー上で操作内容の追加が不要な場合には、「いいえ」が選択され、処理はステップＳ１１へ進む。
【００２７】
ステップＳ１１は、表示部１５に設定内容確認メニューを表示する。設定内容確認メニュー上には、上記の如き操作により設定された操作パターン、即ち、操作の時間帯及び操作内容が表示される。図２は、操作の時間帯として９時から１０時が設定され、操作内容としてメール送信、電話発信及びｉアプリ起動が設定されている場合を示す。設定内容確認メニューの表示後、ステップＳ１２は表示部１５にオートロック設定完了メッセージを表示し、操作パターン登録処理は終了する。
【００２８】
操作部１４のキー操作により操作内容設定メニュー上で電話／ＴＶ／スケジュールが選択されると、図４に示すステップＳ８２０は電話関連機能（又は、通話機能）選択メニューを表示部１５に表示する。本実施例では、電話関連機能（又は、動作）は、発信、リダイアル閲覧、特定宛先発信、着信履歴閲覧及びスケジュール閲覧から選択可能である。操作部１４のキー操作により電話関連機能選択メニュー上で発信又はリダイアル閲覧が選択されると、処理は図２に示すステップＳ９へ進む。他方、操作部１４のキー操作により電話関連機能選択メニュー上で特定宛先発信、着信履歴閲覧又はスケジュール閲覧が選択されると、ステップＳ８２１は発着送受信先設定メニューを表示部１５に表示する。発着送受信先設定メニューでは、アドレス検索及びフォルダ指定が選択可能である。操作部１４のキー操作により発着送受信先設定メニュー上でアドレス検索又はフォルダ指定が選択されると、処理は図２に示すステップＳ９へ進む。
【００２９】
操作部１４のキー操作により操作内容設定メニュー上でｉアプリ／ｉモード（インターネット関連動作）が選択されると、図５に示すステップＳ８３０はｉアプリ／ｉモード関連機能選択メニューを表示部１５に表示する。本実施例では、ｉアプリ／ｉモード関連機能（又は、動作）は、アプリ起動、特定アプリ／データ起動、ｉモード接続及び特定アドレス接続から選択可能である。操作部１４のキー操作によりｉアプリ／ｉモード関連機能選択メニュー上でアプリ起動又はｉモード接続が選択されると、処理は図２に示すステップＳ９へ進む。他方、操作部１４のキー操作によりｉアプリ／ｉモード関連機能選択メニュー上で特定データ起動が選択されると、ステップＳ８３１は特定データ起動設定メニューを表示部１５に表示する。特定データ起動設定メニューでは、ｉアプリ検索及びｉモーション検索が選択可能である。操作部１４のキー操作により特定データ起動設定メニュー上でｉアプリ検索又はｉモーション検索が選択されると、処理は図２に示すステップＳ９へ進む。又、操作部１４のキー操作によりｉアプリ／ｉモード関連機能選択メニュー上で特定アドレス接続が選択されると、ステップＳ８３２は発着信先設定メニューを表示部１５に表示する。発着信先設定メニューでは、アドレス検索及びフォルダ指定が選択可能である。操作部１４のキー操作により発着信先設定メニュー上でアドレス検索又はフォルダ指定が選択されると、処理は図２に示すステップＳ９へ進む。
【００３０】
操作部１４のキー操作により操作内容設定メニュー上でカメラ／ＴＶ／ラジオが選択されると、図６に示すステップＳ８４０はカメラ関連機能（又は、撮像機能）選択メニューを表示部１５に表示する。本実施例では、カメラ関連機能（又は、動作）は、カメラ撮影、ＴＶ閲覧、ラジオ視聴、ＯＣＲ操作、画像閲覧及び特定先アクセスから選択可能である。操作部１４のキー操作によりカメラ関連機能選択メニュー上でカメラ撮影、ＴＶ閲覧、ラジオ視聴、ＯＣＲ操作又は画像閲覧が選択されると、処理は図２に示すステップＳ９へ進む。他方、操作部１４のキー操作によりカメラ関連機能選択メニュー上で特定先アクセスが選択されると、ステップＳ８４１は特定先アクセス設定メニューを表示部１５に表示する。特定先アクセス設定メニューでは、画像検索、フォルダ指定及びチャンネル指定が選択可能である。操作部１４のキー操作により特定先アクセス設定メニュー上で画像検索、フォルダ指定又はチャンネル指定が選択されると、処理は図２に示すステップＳ９へ進む。
【００３１】
操作部１４のキー操作により操作内容設定メニュー上でその他１が選択されると、図７に示すステップＳ８５０は関連機能選択メニューを表示部１５に表示する。本実施例では、関連機能（又は、動作）は、ＧＰＳ起動、ＢＴ起動、指紋認証起動、歩数計起動及び音楽プレーヤ起動から選択可能である。操作部１４のキー操作により関連機能選択メニュー上でＧＰＳ起動、ＢＴ（Blue Tooth）起動、指紋認証起動、歩数計起動又は音楽プレーヤ起動が選択されると、処理は図２に示すステップＳ９へ進む。
【００３２】
操作部１４のキー操作により操作内容設定メニュー上でその他２が選択されると、図８に示すステップＳ８６０はその他機能選択メニューを表示部１５に表示する。本実施例では、その他機能（又は、動作）は、ＦｅｌｉＣａ起動、（Push-To-Talk）ＰＴＴ起動、携帯電話（携帯）の開閉及び特定ボタン（キー）操作から選択可能である。携帯の開閉とは、折りたたみ式携帯電話の蓋の開閉、スライド又は回動を意味する。操作部１４のキー操作によりその他機能選択メニュー上でＦｅｌｉＣａ起動、ＰＴＴ起動又は携帯の開閉が選択されると、処理は図２に示すステップＳ９へ進む。他方、操作部１４のキー操作によりその他機能選択メニュー上で特定ボタン操作が選択されると、ステップＳ８６１は特定ボタン操作設定メニューを表示部１５に表示する。特定ボタン操作設定メニューでは、ボタン選択及び単押／長押が選択可能である。操作部１４のキー操作により特定ボタン操作設定メニュー上でボタン選択又は単押／長押が選択されると、処理は図２に示すステップＳ９へ進む。
【００３３】
上記の如く設定された操作時間帯及び操作内容（機能）、即ち、操作パターンは、メモリ部１２に格納されて登録される。尚、図２のステップＳ７及びステップＳ８で設定される操作内容は、図３〜図８のステップＳ８１１，Ｓ８２１，Ｓ８３１，Ｓ８３２，Ｓ８４１，Ｓ８６１で設定する操作内容（機能）の詳細を含むことができる。
【００３４】
図９は、本実施例のキーロック処理を説明するフローチャートである。図９に示すキーロック処理は、ＣＰＵ１１により行われる。図９において、ステップＳＴ１は、メモリ部１２に登録されている操作パターンに含まれる操作時間帯であるか否かを判定し、判定結果がＹＥＳになると、処理はステップＳＴ２へ進む。ステップＳＴ２は、操作部１４の操作キーが操作されたか否かを判定し、判定結果がＹＥＳであると、処理はステップＳＴ３へ進む。ステップＳＴ３は、操作された操作キーが、登録されている操作パターンに含まれる、上記操作時間帯に対する全ての操作内容を示すか否かを判定し、判定結果がＹＥＳであると、処理はステップＳＴ１へ戻る。上記の如く、操作内容には、設定された各機能に加え、設定された各機能の操作回数及び／又は設定された各機能の詳細を含んでも良い。
【００３５】
尚、例えば１つの操作時間帯に対して、登録されている操作パターンにＮ（Ｎは２以上の整数）個の操作内容が含まれる場合、ステップＳＴ３は、操作された操作キーが、少なくともＭ（ＭはＭ＜Ｎを満足する整数）個の操作内容を示すか否かを判定するようにしても良い。
【００３６】
他方、ステップＳＴ２の判定結果がＮＯであると、ステップＳＴ４は、登録されている操作パターンに含まれる操作時間帯であるか否かを判定し、判定結果がＹＥＳであると、処理はステップＳＴ１へ戻る。操作時間帯を越えておりステップＳＴ４の判定結果がＮＯであると、ステップＳＴ５は、操作部１４の操作キーを周知の手段でロックし、操作キーの通常操作が行えないようにし、キーロック処理は終了する。又、ステップＳＴ３の判定結果がＮＯであると、不正使用である可能性があるため、ステップＳＴ５は操作キーをロックし、キーロック処理は終了する。
【００３７】
尚、ロック状態にある操作キーのロック解除は、周知の方法で行うことができ、本発明の要旨とは直接関係がないので、その説明は省略する。
【００３８】
図１０は、本実施例のキーロック処理を説明する図である。図１０は、登録されている操作パターンが、９時から１１時の時間帯のメール送信と、１２時から１３時の時間帯の電話とを含む場合を示す。通常操作Ａでは、ユーザは登録されている操作パターンで携帯電話１を操作する。つまり、９時から１１時の時間帯にメール送信を行い、１２時から１３時の時間帯に電話をするので、操作キーはロックされることがない。
【００３９】
しかし、９時から１１時の時間帯にメール送信を行わない場合Ｂには、操作キーは自動的にロックされる。同様に、９時から１１時の時間帯にメール送信が行われても、１２時から１３時の時間帯に電話をしない場合Ｃには、操作キーは自動的にロックされる。このように、操作部１４の操作キーは、登録されている操作パターンで操作されないと、ユーザが特に意識することなく、自動的にロックされる。又、操作部１４の操作キーは、登録されている操作パターンで操作されていれば不要にロックされないので、頻繁に煩雑なロック解除操作を行う必要もない。
【００４０】
更に、ユーザの携帯電話の使い方が比較的規則正しい場合には、登録する操作パターンの時間帯及び操作内容をより細かく設定することができるので、その分セキュリティも向上する。
【００４１】
尚、本発明は、以下に付記する発明をも包含するものである。
（付記１）  複数の機能を有する電子装置の操作キーの操作パターンを登録するステップと、
該操作パターンで前記操作キーが操作されないと前記操作キーをロックするステップとを含み、
該操作パターンは、少なくとも前記操作キーが操作される時間帯と前記操作キーにより選択される少なくとも１つの機能との組み合わせからなることを特徴とする、キーロック制御方法。
（付記２）  前記機能は、電子メール、通話、スケジュール、インターネット関連動作、撮像、テレビ、ラジオ及びその他の動作からなるグループから選択された少なくとも１つである、付記１記載のキーロック制御方法。
（付記３）  前記操作パターンは、各機能が選択される回数を含むことを特徴とする、付記１記載のキーロック制御方法。
（付記４）  前記操作パターンは、各機能について前記操作キーにより選択される機能の詳細を含むことを特徴とする、付記１記載のキーロック制御方法。
（付記５）  前記時間帯は、選択される２以上の機能に対して独立に設定されることを特徴とする、付記１記載のキーロック制御方法。
（付記６）  複数の機能を有する電子装置であって、
複数の操作キーと、
該操作キーからの入力に基づいて該操作キーの操作パターンが登録される格納手段と、
該操作パターンで該操作キーが操作されないと該操作キーをロックする制御手段とを備え、
該操作パターンは、少なくとも該操作キーが操作される時間帯と該操作キーにより選択される少なくとも１つの機能との組み合わせからなることを特徴とする、電子装置。
（付記７）  前記機能は、電子メール、通話、スケジュール、インターネット関連動作、撮像、テレビ、ラジオ及びその他の動作からなるグループから選択された少なくとも１つである、付記６記載の電子装置。
（付記８）  前記操作パターンは、各機能が選択される回数を含むことを特徴とする、付記６記載の電子装置。
（付記９）  前記操作パターンは、各機能について前記操作キーにより選択される機能の詳細を含むことを特徴とする、付記６記載の電子装置。
（付記１０）  前記時間帯は、選択される２以上の機能に対して独立に設定されることを特徴とする、付記６記載の電子装置。
（付記１１）  コンピュータに、複数の機能を有する装置の操作キーのロックを制御させるコンピュータプログラムであって、
該コンピュータに前記操作キーの操作パターンを登録させる手順と、
該コンピュータに、該操作パターンで前記操作キーが操作されないと前記操作キーをロックさせる手順とを含み、
該操作パターンは、少なくとも前記操作キーが操作される時間帯と前記操作キーにより選択される少なくとも１つの機能との組み合わせからなることを特徴とする、コンピュータプログラム。
（付記１２）  前記機能は、電子メール、通話、スケジュール、インターネット関連動作、撮像、テレビ、ラジオ及びその他の動作からなるグループから選択された少なくとも１つである、付記１１記載のコンピュータプログラム。
（付記１３）  前記操作パターンは、各機能が選択される回数を含むことを特徴とする、付記１１記載のコンピュータプログラム。
（付記１４）  前記操作パターンは、各機能について前記操作キーにより選択される機能の詳細を含むことを特徴とする、付記１１記載のコンピュータプログラム。
（付記１５）  前記時間帯は、選択される２以上の機能に対して独立に設定されることを特徴とする、付記１１記載のコンピュータプログラム。
【００４２】
以上、本発明を実施例により説明したが、本発明は上記実施例に限定されるものではなく、本発明の範囲内で種々の変形及び改良が可能であることは、言うまでもない。
【図面の簡単な説明】
【００４３】
【図１】本発明になる電子装置の一実施例の要部の構成を示すブロック図である。
【図２】実施例における操作パターン登録処理を説明するフローチャートである。
【図３】操作パターン登録処理の一部を説明するフローチャートである。
【図４】操作パターン登録処理の一部を説明するフローチャートである。
【図５】操作パターン登録処理の一部を説明するフローチャートである。
【図６】操作パターン登録処理の一部を説明するフローチャートである。
【図７】操作パターン登録処理の一部を説明するフローチャートである。
【図８】操作パターン登録処理の一部を説明するフローチャートである。
【図９】実施例のキーロック処理を説明するフローチャートである。
【図１０】実施例のキーロック処理を説明する図である。
【符号の説明】
【００４４】
１      携帯電話
１１      ＣＰＵ
１２      メモリ部
１３      送受信部
１４      操作部
１５      表示部
１６      カメラ部１６
１７      ＴＶ／ラジオ部
１８      バス
【図１】
2006054581.tif 000003
【図２】
2006054581.tif 000004
【図３】
2006054581.tif 000005
【図４】
2006054581.tif 000006
【図５】
2006054581.tif 000007
【図６】
2006054581.tif 000008
【図７】
2006054581.tif 000009
【図８】
2006054581.tif 000010
【図９】
2006054581.tif 000011
【図１０】
2006054581.tif 000012